(57)【要約】温度や発熱量を任意の所望値に調整可能とし、使用環境や使用目的に応じて経済的、且つ能率的に使用できる発熱装置の提供。    【解決手段】  導電性の支持フレームと、発熱膜を塗布した複数の発熱板とからなり、支持フレームは１対の或る間隔を保って相向った支持板よりなり、各支持板上には、その壁面に電極が形成された複数の挿置槽があって、発熱板を挿置し、また発熱板にはそれぞれ、両端部にシルバー・ソルダー (silver solder)が施されていて、複数の発熱板と複数の挿置槽との間を電気的に導通させ、挿置槽に挿置される発熱板の数を加減することにより、発熱量が調整可能となる発熱装置を提供する。 【選択図】  図１
0003116121.tif 000002
【実用新案登録請求の範囲】
【請求項１】
発熱膜を塗布した複数の発熱板よりなる発熱裝置において、
導電性の支持フレームと、熱膜を塗布した複数の発熱板とからなり、前記支持フレームは１対のある間隔を保って相向った支持板よりなり、前記各支持板上には、その壁面に電極が形成された複数の挿置槽があって、前記発熱板の挿置に供し、また、前記発熱板にはそれぞれ、両端部にシルバー・ソルダー (silver solder)が施されていて、前記複数の発熱板と複数の挿置槽との間を電気的に導通させ、前記挿置槽に挿置される前記発熱板の数を加減することにより、発熱量が調整可能であることを特徴とする発熱裝置。
【請求項２】
前記１対の支持板と、前記複数の挿置溝とは通電性の材料で一体に形成されていることを特徴とする、請求項１に記載の発熱裝置。
【考案の詳細な説明】
【技術分野】
【０００１】
本考案は発熱板を用いた発熱装置に関するもので、詳しくいえば、発熱膜を塗布した複数の発熱板の両端を導電性の支持フレームで支持し、前記発熱板の使用個数を加減することにより、発熱量を調整可能にした発熱装置に関するものである。
【背景技術】
【０００２】
現今発熱装置はあらゆる分野に広く活用されている。例えば保温設備、電熱器やその他の発熱装置など枚挙に暇がない。その中で、ヒータ・コイルや石英管を利用した電熱器は一番ポピュラーである。
【考案の開示】
【考案が解決しようとする課題】
【０００３】
然るに上記の電熱器では、その発熱効率の割にサイズが大き過ぎて不便である。近来発熱膜を塗布した発熱板を基板上に支持した形の発熱装置が出回っているが、これとても発熱効率が悪く、かつ、使用者や使用場所のニーズに応じてその発熱量を調整できないので、これまた、余り歓迎されていないのが実状である。
上述の事情に鑑み、このような欠点を改善せんがため、本願の考察者は多年に渡る経験に基づき、長期の苦心研鑽の結果、遂に本願開発の成功に至った。
【０００４】
本考案の目的は、発熱膜を塗布した複数の発熱板で構成された発熱装置を提供し、その発熱量を必要に応じて調整可能とするところにある。
また、本考案のもう１つの目的は、使用環境、使用目的、周囲温度や湿度などに応じ、経済的、且つ能率的に使用できる発熱装置を提供するところにある。
【課題を解決するための手段】
【０００５】
上記の目的を果すため、本考案においては、発熱膜を塗布した複数の発熱板を導電性の支持フレームで支持した発熱装置を提供し、その特徴として前記発熱装置は導電性の支持フレームと、発熱膜を塗布した複数の発熱板とからなり、前記支持フレームは１対のある間隔を保って相向った支持板よりなり、前記各支持板上には、その壁面に電極が形成された複数の挿置槽があって、前記発熱板の挿置に供し、また、前記発熱板にはそれぞれ、両端部にシルバー・ソルダー(Silver Solder)が施されていて、前記複数の発熱板と複数の挿置槽との間を電気的に導通させ、前記挿置槽に挿置される前記発熱板の数を加減することにより、発熱量が調整可能である。
【考案の効果】
【０００６】
上記構成によれば、発熱板の使用個数を加減することにより、使用者のニーズ、使用環境、使用目的、周囲温度や湿度などに応じ、発熱量を調整可能とし、発熱装置を経済的、且つ能率的に使用できる。
【考案を実施するための最良の形態】
【０００７】
図１から図３に本考案による発熱装置の組立図、分解図と側面図を示した。この発熱装置は導電性の支持フレーム1と、発熱膜2aを塗布した複数の発熱板21、22、23…とから構成されている。
支持フレーム1は１対のある間隔を保って相向った導電性の支持板3、4よりなり、その壁面に、電極が形成された複数の挿置槽31、41が相向った支持板3、4の表面に形成されていて、発熱板21、22、23…が挿置できるようにしている。
【０００８】
発熱板21、22、23…の中央部には発熱膜2aが塗布されていて、その両端部にはシルバー・ソルダー2b、2cが施されている。そして両端部のシルバー・ソルダー2b、2cと、挿置槽31、41の電極と支持フレーム1との間で、発熱板21、22、23…が挿置槽31、41に挿置されたとき、電気的に導通するのである。
このような構成により、挿置槽31、41に挿置される発熱板21、22、23…の数を加減すれば、発熱装置の発熱量は容易に調整できるので、適当に使用者個別のニーズに応ずることができるのである。このように使用者はこの発熱装置を便利に使用できる。これは発熱量の調整があまり利かないニクローム線などのヒータ・コイルのような従来からある発熱装置にはない利点である。
【０００９】
図４を參照する。この実施形態では本考案による発熱装置5はファン4とー緒に保温器6に組込まれている。挿置槽31、41に挿置される発熱板21、22、23…の数により、発熱装置5は保温器6内部を希望する温度に保てるのである。
図５を參照する。この実施形態では発熱装置5はヘア・ドライヤー7の風の出口に近く取り付けられている。このようにして、例えばファン71のような駆動装置で、希望する温度の熱風をヘア・ドライヤー7から送り出すのである。
【００１０】
本考案による発熱装置は挿置槽に挿置される発熱板の数を加減すれば、希望する発熱量と温度が得られ、また、危険視される可視の火焔を発しないので、使用者に安心して使用してもらえる。これは従来の発熱装置にない利点である。
以上を総合すると、本考察は形態において確かに創意性があるのみならず、従来の発熱装置に比べ、上述の機能を追加でき、新規性及び進歩性の法定実用新案登録請求の要件を充分に滿たすものである。
【００１１】
以上の詳細な説明は、本考案の実行可能な実施形態についての具体的な説明である。但し、これらの実施形態は本考案の実用新案登録請求の範囲を制限するものではなく、凡そ本考案の技術精神を逸脱せずになされた同等効果の実施、または変更は、全て本考案の実用新案登録請求の範囲に含まれるものとする。
【図面の簡単な説明】
【００１２】
【図１】本考案による発熱装置の組立図である。
【図２】本考案による発熱装置の分解図である。
【図３】本考案による発熱装置の側視図である。
【図４】本考案の１つの実施形態の概略図である。
【図５】本考案のもう１つの実施形態の概略図である。
【符号の説明】
【００１３】
1：導電性の支持フレーム
21、22、23：発熱板 
3、4：支持板 
31、41：挿槽 
2a：発熱膜 
2b、2c：シルバー・ソルダー  
4、71：ファン  
5：発熱装置  
6：保温器 
7：ヘア・ドライヤー
【図１】
0003116121.tif 000003
【図２】
0003116121.tif 000004
【図３】
0003116121.tif 000005
【図４】
0003116121.tif 000006
【図５】
0003116121.tif 000007